(57)【要約】【課題】  印刷処理中に、処理すべき印刷ジョブの一部を移動先の印刷装置で継続して処理できる利便性に優れた印刷処理を行えることである。【解決手段】  印刷装置１００において印刷ジョブの処理中に、操作パネル１０６よりユーザからの移動出力指示を受け付けると、ジョブ移動指示部１０８が移動先から移動元を特定するための情報をＩＣカードのメモリに書き込み、ＩＣカードを移動先の印刷装置と通信により、該移動元を特定する情報を読み出して、ジョブ移動受付部１０９が移動元の印刷装置に保持されている印刷ジョブの一部の転送を要求して、移動元のジョブ転送部１１０から転送される印刷ジョブの一部を継続的に処理する構成を特徴とする。【選択図】  図１
2006341524.tif 000002
【特許請求の範囲】
【請求項１】
ホストコンピュータと通信可能な印刷装置であって、
メモリを備える外部機器と通信するインタフェースと、
前記ホストコンピュータから受信する印刷ジョブの処理中に、該印刷ジョブの移動出力を受け付けて、前記印刷ジョブの移動元となる情報を前記メモリに書き込み、前記印刷ジョブに対する印刷指示を取り消すジョブ移動指示手段と、
前記インタフェースを介して前記メモリから読み出される前記移動元となる情報に基づいて移動元の印刷装置に保持されている印刷ジョブの転送要求を指示するジョブ移動受付手段と、
前記ジョブ移動指示手段による移動指示時における出力ページに関わるジョブ属性と、処理中の印刷ジョブ情報を保持する保持手段と、
前記ジョブ移動受付手段による前記転送要求に基づいて、前記保持手段に保持される印刷ジョブの一部をなす移動印刷ジョブを移動先となる他の印刷装置に転送するジョブ転送手段と、
を有することを特徴とする印刷装置。
【請求項２】
ホストコンピュータと通信可能な印刷装置であって、
メモリを備える外部機器と通信するインタフェースと、
前記ホストコンピュータから受信する印刷ジョブの処理中に、該印刷ジョブの移動出力を受け付けて、前記印刷ジョブの移動元となる情報、所定の鍵情報を前記メモリに書き込み、前記印刷ジョブに対する印刷指示を取り消すジョブ移動指示手段と、
前記インタフェースを介して前記メモリから読み出される前記移動元となる情報に基づいて移動元の印刷装置に保持されている印刷ジョブの転送要求を指示するジョブ移動受付手段と、
前記ジョブ移動指示手段による移動指示時における出力ページに関わるジョブ属性と、処理中の印刷ジョブ情報を保持する保持手段と、
前記ジョブ移動受付手段による前記転送要求に基づいて、前記保持手段に保持される印刷ジョブの一部を前記所定の鍵情報で暗号化処理した移動印刷ジョブを移動先となる他の印刷装置に転送するジョブ転送手段と、
を有することを特徴とする印刷装置。
【請求項３】
前記ジョブ転送手段は、前記ジョブ移動受付手段による前記転送要求に基づいて、前記ジョブ属性に従って前記印刷ジョブ中から生成される未印刷ページとなる特定ページを移動先となる他の印刷装置に転送することを特徴とする請求項１または２記載の印刷装置。
【請求項４】
前記ジョブ転送手段は、前記未印刷中のページの転送後、前記保持手段に保持されている印刷ジョブを削除することを特徴とする請求項１または２記載の印刷装置。
【請求項５】
移動元の印刷装置から受信する移動印刷ジョブを処理するジョブ処理手段を有することを特徴とする請求項１記載の印刷装置。
【請求項６】
前記ジョブ処理手段は、前記メモリから読み出される前記所定の鍵情報に基づいて移動元の印刷装置から受信する暗号化されている移動印刷ジョブを復号化して移動印刷ジョブを処理することを特徴とする請求項２記載の印刷装置。
【請求項７】
前記外部機器は、前記メモリを備えるＩＣカード、前記メモリ備えるＵＳＢメモリ等を含むことを特徴とする請求項１または２記載の印刷装置。
【請求項８】
メモリを備える外部機器と通信するインタフェースを備え、ホストコンピュータと通信可能な印刷装置におけるジョブ処理方法であって、
前記ホストコンピュータから受信する印刷ジョブの処理中に、該印刷ジョブの移動出力を受け付けて、前記印刷ジョブの移動元となる情報を前記メモリに書き込み、前記印刷ジョブに対する印刷指示を取り消すジョブ移動指示ステップと、
前記インタフェースを介して前記メモリから読み出される前記移動元となる情報に基づいて移動元の印刷装置に保持されている印刷ジョブの転送要求を指示するジョブ移動受付手段と、
前記ジョブ移動指示手段による移動指示時における出力ページに関わるジョブ属性と、処理中の印刷ジョブ情報を保持手段に保持する保持ステップと、
前記ジョブ移動受付ステップによる前記転送要求に基づいて、前記保持手段に保持される印刷ジョブの一部をなす移動印刷ジョブを移動先となる他の印刷装置に転送するジョブ転送ステップと、
を有することを特徴とするジョブ処理方法。
【請求項９】
メモリを備える外部機器と通信するインタフェースを備え、ホストコンピュータと通信可能な印刷装置におけるジョブ処理方法であって、
前記ホストコンピュータから受信する印刷ジョブの処理中に、該印刷ジョブの移動出力を受け付けて、前記印刷ジョブの移動元となる情報、所定の鍵情報を前記メモリに書き込み、前記印刷ジョブに対する印刷指示を取り消すジョブ移動指示ステップと、
前記インタフェースを介して前記メモリから読み出される前記移動元となる情報に基づいて移動元の印刷装置に保持されている印刷ジョブの転送要求を指示するジョブ移動受付ステップと、
前記ジョブ移動指示ステップによる移動指示時における出力ページに関わるジョブ属性と、処理中の印刷ジョブ情報を保持手段に保持する保持ステップと、
前記ジョブ移動受付ステップによる前記転送要求に基づいて、前記保持手段に保持される印刷ジョブの一部を前記所定の鍵情報で暗号化処理した移動印刷ジョブを移動先となる他の印刷装置に転送するジョブ転送ステップと、
を有することを特徴とするジョブ処理方法。
【請求項１０】
請求項８または９に記載のジョブ処理方法をコンピュータに実行させるためのプログラムを格納したことを特徴とするコンピュータが読み取り可能な記憶媒体。
【請求項１１】
請求項８または９に記載のジョブ処理方法をコンピュータに実行させることを特徴とするプログラム。
【発明の詳細な説明】
【技術分野】
【０００１】
本発明は、ホストコンピュータと通信可能な印刷装置におけるジョブ処理に関するものである。
【背景技術】
【０００２】
従来、この種の装置においては、ただ印刷できるだけではなく、ユーザの利用状況に応じた高度な要求が求められている。
【０００３】
例えば急いで印刷を行いたいユーザが使用している印刷装置が、先に投入している印刷ジョブの印刷により待たされたり、装置が紙なしやジャム発生により所望の印刷がすぐできない、などという場合に、従来はユーザが別の印刷装置に出しなおす処理を行う必要があったり、あるいは、ユーザが都合により他の場所に移動しなくてはならず、印刷出力を待てない場合があったりする。
【０００４】
一方、複数の印刷装置がネットワーク上に接続されているプリント環境下において、いずれかの印刷装置に転送した印刷ジョブを処理中に、印刷装置内の印刷制御装置におけるＰＤＬ解析異常や、印刷部のジャム等が発生する場合を想定して、当該印刷ジョブの依頼元のホストから受信した印刷ジョブを前もってあらかじめ設定されている転送先の印刷装置に転送しておき、印刷装置の通信制御装置が印刷制御装置との通信によりＰＤＬ解析異常や、印刷部のジャム等の発生を検出したら、転送先の印刷装置に転送している印刷ジョブに対する解析処理開始を指示することにより、ユーザは最初に依頼した印刷ジョブの転送先にＰＤＬ解析異常や、印刷部のジャム等を含む障害が発生しても、当該印刷ジョブを他の印刷装置に転送する等の操作を行うことなく、当該印刷ジョブを転送先の印刷装置から速やかに処理させて印刷結果を得る印刷装置が下記特許文献１に開示されている。
【０００５】
このように特許文献１では、ネットワーク上の何れかの印刷装置に送信した印刷ジョブを処理中に異常が発生して印刷処理が中断してしまうことを想定して、予め印刷ジョブの依頼元のホストから受信した印刷ジョブを前もって設定されている転送先の印刷装置に転送しておくことで、印刷処理の中断があった場合でも改めてホストが印刷ジョブを送りなおす必要をなくすことが開示されています。
【特許文献１】特開２００２−１８９５７８号公報
【発明の開示】
【発明が解決しようとする課題】
【０００６】
上記のように、一旦印刷指示を行った後にユーザが印刷装置を変更したいと考える状況は多々考えられるが、従来の印刷システムにおける印刷処理復旧の仕組みにおいては、ユーザが当該印刷ジョブの取り消しを行い、その後に別の印刷装置に出しなおすという作業が必要となる。これにはいくつかの問題点がある。
【０００７】
第１に、ユーザがホストコンピュータに戻り、印刷しなおすという手版が必要になるということである。もしホストコンピュータの電源が切られていたら、再起動が必要となり、起動待ちの時間が損なわれることになってしまう。さらにアプリケーションを開いて当該ジョブを再生成して印刷しなおす手間がかかる。さらに変更先の印刷装置のプリンタドライバがインストールされていない場合は、インストールしなおす作業も必要となる。このように、印刷を出しなおす作業にはユーザに大きな負担を強いてしまうという問題点がある。
【０００８】
第２の問題点として、印刷結果が２重出しされてしまう問題点がある。帳票などの原稿に関しては、同じ原稿が２度出てしまうことに問題がある場合が多く、これを回避するためには、移動前の印刷装置で何枚の原稿が出力されたかを確認した上で、移動先の印刷装置にどのページから出すか、という指示を与える必要があり、これもユーザに負担を強いてしまうという問題点がある。
【０００９】
したがって、従来の印刷装置または印刷システムにおいて、いずれかの印刷装置で印刷処理中の印刷ジョブを何らかの要因で他の印刷装置で印刷する場合に、既に正常出力されたページから再開することができず、用紙無駄が必然的に発生して紙資源を浪費してしまうとともに、正常に出力されているページと中断されたページ以降の印刷結果とを丁合する作業をユーザが直接行わなければならず、非常に手間がかかってしまうという課題があった。
【００１０】
本発明は、上記の課題を解決するためになされたもので、本発明の目的は、印刷ジョブの処理中に、ユーザからの移動出力指示に従い、移動先から移動元を特定するための情報を外部機器のメモリに書き込み、該外部機器を移動先の印刷装置と通信により、該移動元を特定する情報を読み出して、移動元の印刷装置に保持されている印刷ジョブの一部の転送を要求して処理することにより、印刷処理中に、処理すべき印刷ジョブの一部を移動先の印刷装置で継続して処理できる利便性に優れた印刷処理を行える印刷装置、ジョブ処理方法、コンピュータが読み取り可能なプログラムを格納した記憶媒体およびプログラムを提供することである。
【課題を解決するための手段】
【００１１】
上記目的を達成する本発明の情報処理装置は以下に示す構成を備える。
【００１２】
ホストコンピュータと通信可能な印刷装置であって、メモリを備える外部機器と通信するインタフェースと、前記ホストコンピュータから受信する印刷ジョブの処理中に、該印刷ジョブの移動出力を受け付けて、前記印刷ジョブの移動元となる情報を前記メモリに書き込み、前記印刷ジョブに対する印刷指示を取り消すジョブ移動指示手段と、前記インタフェースを介して前記メモリから読み出される前記移動元となる情報に基づいて移動元の印刷装置に保持されている印刷ジョブの転送要求を指示するジョブ移動受付手段と、前記ジョブ移動指示手段による移動指示時における出力ページに関わるジョブ属性と、処理中の印刷ジョブ情報を保持する保持手段と、前記ジョブ移動受付手段による前記転送要求に基づいて、前記保持手段に保持される印刷ジョブの一部をなす移動印刷ジョブを移動先となる他の印刷装置に転送するジョブ転送手段とを有することを特徴とする。
【００１３】
また、ホストコンピュータと通信可能な印刷装置であって、メモリを備える外部機器と通信するインタフェースと、前記ホストコンピュータから受信する印刷ジョブの処理中に、該印刷ジョブの移動出力を受け付けて、前記印刷ジョブの移動元となる情報、所定の鍵情報を前記メモリに書き込み、前記印刷ジョブに対する印刷指示を取り消すジョブ移動指示手段と、前記インタフェースを介して前記メモリから読み出される前記移動元となる情報に基づいて移動元の印刷装置に保持されている印刷ジョブの転送要求を指示するジョブ移動受付手段と、前記ジョブ移動指示手段による移動指示時における出力ページに関わるジョブ属性と、処理中の印刷ジョブ情報を保持する保持手段と、前記ジョブ移動受付手段による前記転送要求に基づいて、前記保持手段に保持される印刷ジョブの一部を前記所定の鍵情報で暗号化処理した移動印刷ジョブを移動先となる他の印刷装置に転送するジョブ転送手段とを有することを特徴とする。
【００１４】
上記目的を達成する本発明のジョブ処理方法は以下に示す構成を備える。
【００１５】
メモリを備える外部機器と通信するインタフェースを備え、ホストコンピュータと通信可能な印刷装置におけるジョブ処理方法であって、前記ホストコンピュータから受信する印刷ジョブの処理中に、該印刷ジョブの移動出力を受け付けて、前記印刷ジョブの移動元となる情報を前記メモリに書き込み、前記印刷ジョブに対する印刷指示を取り消すジョブ移動指示ステップと、前記インタフェースを介して前記メモリから読み出される前記移動元となる情報に基づいて移動元の印刷装置に保持されている印刷ジョブの転送要求を指示するジョブ移動受付手段と、前記ジョブ移動指示手段による移動指示時における出力ページに関わるジョブ属性と、処理中の印刷ジョブ情報を保持手段に保持する保持ステップと、前記ジョブ移動受付ステップによる前記転送要求に基づいて、前記保持手段に保持される印刷ジョブの一部をなす移動印刷ジョブを移動先となる他の印刷装置に転送するジョブ転送ステップとを有することを特徴とする。
【００１６】
また、メモリを備える外部機器と通信するインタフェースを備え、ホストコンピュータと通信可能な印刷装置におけるジョブ処理方法であって、前記ホストコンピュータから受信する印刷ジョブの処理中に、該印刷ジョブの移動出力を受け付けて、前記印刷ジョブの移動元となる情報、所定の鍵情報を前記メモリに書き込み、前記印刷ジョブに対する印刷指示を取り消すジョブ移動指示ステップと、前記インタフェースを介して前記メモリから読み出される前記移動元となる情報に基づいて移動元の印刷装置に保持されている印刷ジョブの転送要求を指示するジョブ移動受付ステップと、前記ジョブ移動指示ステップによる移動指示時における出力ページに関わるジョブ属性と、処理中の印刷ジョブ情報を保持手段に保持する保持ステップと、前記ジョブ移動受付ステップによる前記転送要求に基づいて、前記保持手段に保持される印刷ジョブの一部を前記所定の鍵情報で暗号化処理した移動印刷ジョブを移動先となる他の印刷装置に転送するジョブ転送ステップとを有することを特徴とする。
【発明の効果】
【００１７】
本発明によれば、印刷処理中に、処理すべき印刷ジョブの一部を移動先の印刷装置で継続して処理できる利便性に優れた印刷処理を行える。
【００１８】
また、印刷処理中に、処理すべき印刷ジョブの一部を移動先の印刷装置でセキュリティを確保した状態で継続的に処理できる利便性に優れた印刷処理を行える。
【００１９】
さらに、移動先では、移動元で未処理となっているページから継続的に印刷処理できるため、移動先における印刷処理で、既に出力されているページを印刷させずに済み、用紙無駄を節減できたり、印刷装置の負担を軽減できたりする等の効果を奏する。
【発明を実施するための最良の形態】
【００２０】
次に本発明を実施するための最良の形態について図面を参照して説明する。
【００２１】
＜システム構成の説明＞
〔第１実施形態〕
以下、図面を参照して本発明の実施の形態を説明する。
【００２２】
図１は、本発明の第１実施形態を示す印刷装置を適用可能な画像処理装置の構成を説明するブロック図であり、図示しないネットワーク等に接続され、他の印刷装置やホストコンピュータ等と所定のプロトコルで通信可能に構成されている。
【００２３】
図１において、１００は印刷装置を示し、１０１はインタフェースで、不図示のホストコンピュータから送信されて印刷ジョブを受け付ける。１０２は受信部で、インタフェース１０１から送信された印刷ジョブを受信する。１０３はＰＤＬ解釈部で、印刷ジョブに含まれるＰＤＬデータを解釈する。
【００２４】
１０４はスキャン部で、光学読み取り装置を使用して原稿画像を読み込み、アナログの画像情報をデジタルの画像データに返還処理する。１０５はイメージ登録部で、ＰＤＬ解釈部１０３あるいはスキャン部１０４が生成したイメージデータをイメージ格納部に登録する。
【００２５】
１０６は操作パネルで、印刷装置１００に対してユーザが指示を与える。１０７はＩＣカード制御部で、外部に接続されたＩＣカードＲ／Ｗ（リーダ、ライタ）およびＩＣカードに対するリードアクセスまたはライトアクセスを制御する。
【００２６】
１０８はジョブ移動指示部で、ネットワーク上で移動元となる印刷装置から、操作パネル１０６を用いて、ＩＣカードＲ／Ｗ１１４を介してＩＣカードに当該ジョブの移動情報を書き込み、自身の印刷ジョブの印刷は取り消す処理を行う。
【００２７】
１０９はジョブ移動受付部で、ネットワーク上の移動先における印刷装置において、ユーザが携帯して搬送されるＩＣカードの挿入を検出した場合に、ＩＣカードが保持している移動情報を取り出し、移動元の印刷装置に対して当該ジョブの転送指示を行う。
【００２８】
１１０はジョブ転送部で、移動元の印刷装置が、ジョブ移動受付部１０９の転送指示に従い、移動先の印刷装置に当該ジョブの転送処理を行う。１１１はイメージ格納部で、印刷ジョブを解釈されることにより生成されたイメージデータを格納する。
【００２９】
１１２はジョブ属性格納部で、ジョブの名称や、印刷済みページ数などの属性情報を格納する。１１５は印刷部で、印刷指示によって印刷処理を行う。１１３は印刷エンジンで、既知の電子写真技術やインクジェット技術を利用して、用紙に実際に印刷を行う。
【００３０】
１１４はＩＣカードＲ／Ｗ（リーダ・ライタ）で、印刷装置１００とＵＳＢ（Ｕｎｉｖｅｒｓａｌ  Ｓｅｒｉａｌ  Ｂｕｓ）などのローカルインターフェイスを用いて接続し、ＩＣカードとはＩＳＯ−７８１６などで定義されたインタフェース仕様に従い接続を行う。
【００３１】
なお、本実施形態におけるＩＣカードは、ＩＣカードＲ／Ｗ１１４と端子の接触により接続することを想定しているが、ＩＣカードＲＷの近接により電磁誘導起電し、無線によって通信を行う非接触式ＩＣカードにおいても本発明の実施をなんら阻害するものではない。
【００３２】
また、図１に示す例では、ＣＰＵ，ＲＡＭ，ＲＯＭ等のハードウエアが実行すべき、モジュールを構成とする例としていないが、図１における１０８〜１１５等を外部メモリから読み出す各モジュールとして、ＣＰＵがＲＡＭ等にロードして実行する構成としてもよい。
【００３３】
次にＩＣカードについて説明する。
【００３４】
図２は、図１に示したカードＲ／Ｗ（リーダ・ライタ）に着脱自在のＩＣカードの構成を示すブロック図である。
【００３５】
図２において、３００はＩＣカード本体（ＩＣカード）、３０１は接触型のＩＣカードＲ／Ｗとのコネクタであり、例えばＩＳＯ−７８１６で定義されている規格に従った端子が使用される。
【００３６】
３０２は通信部で、端子との通信を行う。３０３はＣＰＵで、ＩＣカードの動作を制御する。３０４はＲＯＭ（Ｒｅａｄ  Ｏｎｌｙ  Ｍｅｍｏｒｙ）で、ＣＰＵの動作を制御するプログラムが収められている。
【００３７】
３０５は不揮発メモリで、ＩＣカードにアクセスするＰＩＮ（Ｐｅｒｓｏｎａｌ  Ｉｄｅｎｔｉｆｉｃａｔｉｏｎ  Ｎｕｍｂｅｒ）コードが収められている。３０６は不揮発性メモリで、ＩＣカードが保有する固有の情報が格納されている。
【００３８】
なお、３０５〜３０６は物理的に同じメモリ装置にあってもかまわない。また、コネクタ３０１は接触型を想定しているが、無線を使用した非接触式のものでも本件の構成をなんら妨げるものではない。
【００３９】
また、ＩＣカードＲ／Ｗ１１４との通信はコネクタ３０１を介して行われ、通信部３０２が行う。通信部３０２はＣＰＵ３０３と直接接続されるため、ＣＰＵ３０３を介さずに他のメモリ領域にアクセスすることはできない。ＣＰＵ３０３はＲＯＭ３０４に従って動作し、それによれば、ＰＩＮコードの入力を行い、認証に成功しなければＩＣカード３００内部のメモリにアクセスすることはできないようになっている。
【００４０】
図３は、図１に示した印刷装置１００の操作パネル１０６上に表示されるジョブ状況画面の一例を示す図である。
【００４１】
図３において、２００は画面がジョブ状況画面であることを示すタブである。２０３は印刷ジョブのＩＤ（識別子）を示す。２０４は印刷ジョブの投入時刻を示す。
【００４２】
２０５は当該印刷ジョブの出力枚数を示す。２０６は当該印刷ジョブの状況を示す。２０７はジョブリストで、ＩＤ２０３、投入時刻２０４、出力枚数２０５、状況２０６の各項目について印刷装置１００が保有している印刷ジョブの情報をリスト形式で表示している。なお、操作パネル１０６の画面のサイズは有限であるので、もし画面に収まりきらない場合は、スクロールバー２０８で画面を自由に切り替えることが可能である。
【００４３】
また、印刷ジョブの情報リスト２０７はタッチパネルなどの操作手段により、一つの印刷ジョブを選択可能である。選択された印刷ジョブは表示が反転して自身が選択されていることをユーザに通知する。
【００４４】
２０９は操作ボタンで、選択された印刷ジョブに対して詳細を表示する場合に押下指示されるが、本ボタンの機能は、本発明とは直接関係ないので説明を割愛する。
【００４５】
２１０は操作ボタンで、情報リスト２０７から選択された印刷ジョブに対してキャンセルを指示する場合に押下される。なお、ここでいうキャンセルとは印刷装置１００から当該ジョブの情報を完全に削除することを示す。
【００４６】
２１１は操作ボタンで、当該印刷ジョブを停止し、当該印刷ジョブの印刷情報をＩＣカード上のメモリ３０６に書き出す指示をジョブ移動指示部１０８に与える場合に押下指示される。
【００４７】
ユーザは、例えばネットワーク上の不図示のホストコンピュータから印刷指示を行った後、印刷装置１００に出向くと、図３に示すように大量のページを出力する先行ジョブがプリント待ちとなっていることを操作パネル１０６の表示から判別できる。
【００４８】
そこで、別の印刷装置に当該印刷ジョブの出力先を変更しようとする場合、図３に示した印刷ジョブの移動を指示する操作ボタン２１１を押下することになる。
【００４９】
図４は、本発明に係る印刷装置における第１のデータ処理手順の一例を示すフローチャートであり、ジョブ移動指示部１０８のジョブ移動指示処理手順に対応する。なお、（４０１）〜（４０８）は各ステップを示し、各ステップは、印刷装置１００が備えるメモリから読み出される制御プログラムをジョブ移動指示部１０８が実行することで実現される。
【００５０】
ジョブ移動指示部１０８は印刷装置１００の起動とともに動作を開始し、以降電源遮断まで動作を継続する。動作が開始すると、ステップ（４０１）において、操作パネル１０６から移動操作がされたかどうかを確認する。これは、図３に示した操作パネル１０６に表示される移動指示用の操作ボタン２１１が押下されたかどうかに基づいて判定し、もし押下されていないと判定した場合には、ループの先頭に戻る。
【００５１】
一方、ステップ（４０１）で、操作ボタン」２１１が押下されたと判定した場合には、ステップ（４０２）において、ＩＣカード制御部１０７に問い合わせＩＣカード３００がＩＣカードＲ／Ｗ（リーダ・ライタ）１１４に挿入がなされたかどうかの検知を行い、挿入されていないと判別した場合には、ステップ（４０３）において、ＩＣカード３００の挿入を操作パネル１０６に表示してその旨を促す。
【００５２】
そして、ステップ（４０２）で、ＩＣカード３００が挿入されと判別した場合には、ステップ（４０４）において、ＩＣカード３００に対してＰＩＮ（Ｐｅｒｓｏｎａｌ  Ｉｄｅｎｔｉｆｉｃａｔｉｏｎ  Ｎｕｍｂｅｒ）による認証が行われているかどうかを判別し、もしまだしていないと判別した場合には、ステップ（４０５）において、ＰＩＮの入力を操作パネル１０６に表示してその旨を促し、ＰＩＮ認証を行う。
【００５３】
一方、ステップ（４０４）で、ＰＩＮ認証がすでに完了していると判別した場合には、ステップ（４０６）において、指定されている印刷ジョブに対する印刷を取り消す。
【００５４】
なお、この時の印刷の取り消しとは、実際に指定されている印刷ジョブの情報を印刷装置１００から削除するのではなく、印刷に必要な情報は保持したまま、印刷処理だけを取り消すことを意味する。
【００５５】
そして、すでに印刷済みのページがある場合、ステップ（４０７）において、印刷済みページ数をジョブ属性格納部１１２に記録する。そして、ステップ（４０８）において、指定された印刷ジョブの移動情報を書き込んで、ステップ（４０１）へ戻る。
【００５６】
通常、ＩＣカード３００は一般的にそれほど多くの情報を書き込めないので、ここで書き込む移動情報は、下記の情報（１）、（２）であるものとする。
【００５７】
（１）当該印刷装置のエンドポイント（ＴＣＰ／ＩＰにおけるＩＰアドレスなど）、（２）当該印刷ジョブのＩＤである。
【００５８】
具体的には、例えば印刷装置のＩＰアドレスが「１９２．１６８．１．１」で、印刷ジョブのＩＤが「７８９」の場合には、「１９２．１６８．１．１」と、「７８９」の２つの情報（テキスト情報）が最低限ＩＣカード３００に書き込めればよい。なお、ＩＣカード３００を盗難等に対応して、これらの情報を再現可能な他の情報に置換したり、暗号化したりすることは任意である。
【００５９】
そして、移動用の操作ボタン２１１が押下されることにより、当該印刷装置１００での印刷ジョブの出力は取り消し状態になる。そして、当該印刷ジョブの情報はＩＣカード３００に書き込まれた状態となる。この際、操作パネル１０６に書き込みされた内容をチェック状況や、書き込み中や、書き込み終了等を表示することは任意である。
【００６０】
このようにしてユーザはオフィス内にある、印刷ジョブが詰まっていない余裕のある印刷装置に印刷先を切り替える準備が完了し、次のジョブ移動受け付け処理に移行する。
【００６１】
図５は、本発明に係る印刷装置における第２のデータ処理手順の一例を示すフローチャートであり、ジョブ移動指示部１０８のジョブ移動指示処理手順に対応する。なお、（５０１）〜（５０５）は各ステップを示し、各ステップは、印刷装置１００が備えるメモリから読み出される制御プログラムをジョブ移動受付部１０９が実行することで実現される。
【００６２】
また、ジョブ移動受付部１０９は、印刷装置１００が移動先として動作するときに使用され、図４に示した処理に基づいて、ＩＰアドレスやジョブＩＤが書き込まれているＩＣカード３００が挿入されたことを検出することにより、印刷ジョブの移動を受け付ける動作を行う。したがって、ジョブ移動受付部１０９は印刷装置１００の起動とともに動作を開始し、以降電源遮断まで動作を継続するものとする。
【００６３】
先ず、ステップ（５０１）において、ＩＣカード３００がＩＣカードＲ／Ｗ（リーダ・ライタ）１１４に挿入されたかをＩＣカード制御部１０７に問い合わせて判断し、挿入されていないと判断した場合にはループの先頭に戻る。
【００６４】
一方、ステップ（５０１）で、ＩＣカード３００が挿入されたと判断した場合には、ステップ（５０２）において、公知のＰＩＮ認証が実行されたかどうかを判断し、認証がされていないと判断した場合には、ステップ（５０３）において、所定のＰＩＮ認証を行う。これはＩＣカードのメモリ３０６にアクセスする権限を取得するために必要となる。
【００６５】
このようにして、ステップ（５０２）で、ＰＩＮ認証がなされていると判断した場合は、ステップ（５０４）において、ＩＣカード３００に記憶されている移動情報を読み取る。その結果、移動指定された印刷装置１００のエンドポイントと当該印刷ジョブのＩＤを獲得することができる。
【００６６】
そして、読み込んだその情報に従い、ステップ（５０５）において、移動情報に書かれていた印刷装置１００に指定ジョブの転送指示をインタフェース１０１を介して行い、この処理が完了すると、ループの先頭のステップ（５０１）へ戻る。
【００６７】
このようにして移動元の印刷装置１００においては、移動先の印刷装置から転送指示が送られると、後述するジョブ転送処理に以降する。
【００６８】
図６は、本発明に係る印刷装置における第３のデータ処理手順の一例を示すフローチャートであり、ジョブ転送部１１０のジョブ移動指示処理手順に対応する。なお、（６０１）〜（６０３）は各ステップを示し、各ステップは、印刷装置１００が備えるメモリから読み出される制御プログラムをジョブ移動受付部１０９が実行することで実現される。
【００６９】
なお、ジョブ転送部１１０は印刷装置１００の動作とともに起動し、以降電源遮断まで処理を継続する。
【００７０】
先ず、ステップ（６０１）において、ジョブの転送指示がネットワーク上の他の印刷装置から届いているか否かを判断し、もし届いていないと判断した場合にはループの先頭に戻る。
【００７１】
一方、ステップ（６０１）で、ネットワーク上の他の印刷装置から転送指示が届いていると判断した場合は、ステップ（６０２）において、ジョブ属性格納部１１２から移動指示されている印刷ジョブに関する印刷済みページ数を獲得する。このとき、転送指示によって移動先のエンドポイントも取り出される。
【００７２】
例えば、すでに何ページか出力済みのページがある場合なら、そのページが取り出され、一枚も印刷されているページがない場合には「０」が取り出される。そして、ステップ（６０２）において、印刷済みページを除いたイメージデータを印刷先のエンドポイントに所定のプロトコルで送信する。
【００７３】
そして、最後に、ステップ（６０３）において、指定されたジョブに対する印刷情報（イメージデータおよび属性情報）がジョブ属性格納部１１２から削除される、ステップ（６０１）へ戻る。
【００７４】
このように、ジョブ転送要求を実行した印刷装置は、転送元の印刷装置を通常のホストコンピュータから印刷ジョブを受信するかの如く、移動が指示されている印刷ジョブを受信し、そして、印刷ジョブを印刷部１１５で処理して、印刷処理を実行する。
【００７５】
なお、本実施形態では、印刷ジョブをＰＤＬデータとして受信解析して、最終的に印刷エンジン１１３から出力可能な印刷データを生成する印刷装置を例としているが、イメージデータを直接処理するものであっても何等差し支えない。
【００７６】
以下、図７に示すシーケンス例を参照して、本実施形態における印刷処理を詳述する。
【００７７】
図７は、本発明に係る印刷装置を適用する印刷システムにおける印刷ジョブの処理状態を説明するシーケンス図であり、図１と同一のものには同一の符号を付してある。なお、（７０１）〜（７０８）は各ステップを示す。
【００７８】
本シーケンス例では、ジョブ移動指示部１０８とジョブ転送部１１０は移動元の印刷装置の機能として働き、ジョブ移動受付部１０９とジョブ印刷部１１５は移動先の印刷装置の機能として働く処理について説明する。
【００７９】
図７において、ステップ（７０１）における指定ジョブの移動指示によって、ステップ（７０２）において、移動情報の書き込みがＩＣカード３００になされ、ステップ（７０３）において移動元の印刷装置における印刷が取り消され、その後、ユーザの指示により移動先の印刷装置のＩＣカードＲ／Ｗ１１４に挿入されると、ジョブ移動受付部１０９がＩＣカードに書かれた移動情報をステップ（７０４）において読み込み、ステップ（７０５）において、指定ジョブの転送指示を行うと、ステップ（７０６）で、移動元の印刷装置のジョブ転送部１１０が指定ジョブの転送を行い、転送された印刷ジョブは、ステップ（７０８）において、ジョブ印刷部１１１によって印刷される。
【００８０】
一方、ステップ（７０６）で、移動元の印刷装置は転送が完了したら、ステップ（７０７）において、移動元の印刷装置では、ジョブ属性格納部１１２や、イメージ格納部１１１に格納されている当該ジョブに関わる情報を完全に削除する。
【００８１】
上記の一連の処理によって、ユーザにとっては移動元の印刷装置から移動先の印刷装置へ指定ジョブの移動がなされたように振舞う。
【００８２】
以上、第１実施形態によって、ユーザは印刷指示を出したジョブに対して、ＩＣカードを用いて移動指示が簡便に可能となる。
【００８３】
〔第２実施形態〕
第１実施例において、移動指示された印刷ジョブは転送指示が行われるまで、移動元の印刷装置に保持されるが、印刷装置のリソースを消費しないために、一定時間後に自動的に移動元の印刷装置から印刷に必要な情報（イメージデータや属性情報）を削除するようにしてもよい。
【００８４】
また、一定時間の定義を操作パネル上で指定できるようにしてもよい。
【００８５】
〔第３実施形態〕
上記第１実施形態では、ＩＣカード３００に共通鍵あるいは公開鍵を保持可能な場合、ジョブ転送部１１０は当該ジョブの転送を暗号化処理を施してもよい。このとき、暗号鍵として、ＩＣカード３００のメモリ３０６に保持された鍵を使用し、ジョブ移動受付部においてＩＣカード３００から鍵が取り出され、ジョブ印刷部に渡されることになる。ジョブ印刷部は暗号鍵を受け取ってこの鍵でイメージデータを復号することが可能である。
【００８６】
なお、ジョブ処理手順は、暗号化と複合化処理等を除き、第１実施形態と同様である。
【００８７】
〔第４実施形態〕
また、ＩＣカード３００の構造や規約によって、書き込むメモリが存在しない場合も想定される。
【００８８】
この場合、指定印刷ジョブの移動情報はＩＣカード３００に書き込まれるのではなく、移動元の印刷装置には、ＩＣカードのシリアル番号、あるいはＩＣカードの公開鍵、当該印刷装置のエンドポイント（ＴＣＰ／ＩＰにおけるＩＰアドレスなど）、当該印刷ジョブのＩＤ、ＩＣカードのシリアル番号、あるいは公開鍵が保持されたままになる。
【００８９】
そして、移動先の印刷装置において、ＩＣカードが挿入されると、ネットワークに対して、「ＩＣカードのシリアル番号（あるいは公開鍵）に対して移動情報を持つ印刷装置があるか」と問い合わせるブロードキャスト（あるいはマルチキャスト）を行う。
【００９０】
そして、該当する移動元の印刷装置においては、ジョブ転送部１１０が当該ジョブの転送を行う。
【００９１】
以上によって、ＩＣカードに情報が書き込めない場合でも第１実施形態と同等の印刷ジョブの移動処理と、その印刷処理を実行することができる。
【００９２】
なお、ジョブ処理手順は、暗号化と複合化処理等を除き、第１実施形態と同様である。
【００９３】
〔第５実施形態〕
なお、上記第１実施形態では、図６に示すステップ（６０３）がイメージデータを移動先に転送した直後に、該イメージデータを削除する場合について説明したが、転送先の印刷装置で正常終了する応答を待って削除するように構成してもよい。これにより、移動先で、印刷処理が中断する事態が発生しても、他の印刷装置から同様の手順で印刷ジョブを継続的に処理することが可能となる。
【００９４】
〔第６実施形態〕
前記各実施形態では、印刷ジョブを処理できる印刷装置の仕様がほぼ同一であることを前提している印刷システムについて説明したが、印刷装置の仕様、例えばカラー出力対応か否か、オプション処理の有無等を考慮して、移動先での印刷ジョブの出力条件を変更できるように構成してもよい。
【００９５】
また、カラー情報が混在するページ等を出力する場合には、外部機器が接続された後、移動元の印刷装置との通信で、移動先の印刷装置が印刷ジョブを移動元の印刷装置と同様に出力可能かどうかを判断して、他の印刷装置での出力をユーザに催促するような表示を操作パネル１０６に行うように構成してもよい。これにより、ユーザが誤った移動先から印刷ジョブを強制出力してしまう事態を回避して、ユーザの便宜を図ることも可能となる。
【００９６】
〔第７実施形態〕
なお、上記各実施形態では、外部機器として、ＩＣカード３００を利用する実施形態についてそれぞれ説明したが、外部機器としては、メモリを備えて可搬性があるデバイスであれば本発明を適用可能であるので、例えばフラッシュメモリ等を備えるＵＳＢメモリ等のような機器であっても本発明を適用可能である。
【００９７】
〔第８実施形態〕
上記実施形態では、印刷ジョブを移動先で処理する例について説明したが、スキャン部１０４が読み取る原稿画像データについて、同様に移動指示がなされた場合に、他の印刷装置に転送して処理できるように構成してもよい。
【００９８】
〔第９実施形態〕
以下、図８に示すメモリマップを参照して本発明に係る印刷装置で読み取り可能なデータ処理プログラムの構成について説明する。
【００９９】
図８は、本発明に係る印刷装置で読み取り可能な各種データ処理プログラムを格納する記憶媒体のメモリマップを説明する図である。
【０１００】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１０２】
本実施形態における図４，図５，図６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１０４】
この場合、記憶媒体から読み出されたプログラムコード自体が本発明の新規な機能を実現することになり、そのプログラムコードを記憶した記憶媒体は本発明を構成することになる。
【０１０５】
従って、プログラムの機能を有していれば、オブジェクトコード、インタプリタにより実行されるプログラム、ＯＳに供給するスクリプトデータ等、プログラムの形態を問わない。
【０１０６】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１０７】
この場合、記憶媒体から読出されたプログラムコード自体が前述した実施形態の機能を実現することになり、そのプログラムコードを記憶した記憶媒体は本発明を構成することになる。
【０１０８】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１０９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１２】
本発明は上記実施形態に限定されるものではなく、本発明の趣旨に基づき種々の変形（各実施形態の有機的な組合せを含む）が可能であり、それらを本発明の範囲から排除するものではない。
【０１１３】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１６について説明する。
【０１１４】
〔実施態様１〕
ホストコンピュータと通信可能な印刷装置であって、メモリを備える外部機器と通信するインタフェース（例えば図１に示すＩＣカードＲ／Ｗ１１４）と、前記ホストコンピュータから受信する印刷ジョブの処理中に、該印刷ジョブの移動出力を受け付けて、前記印刷ジョブの移動元となる情報を前記メモリに書き込み、前記印刷ジョブに対する印刷指示を取り消すジョブ移動指示手段（図１に示すジョブ移動指示部１０８）と、前記インタフェースを介して前記メモリから読み出される前記移動元となる情報に基づいて移動元の印刷装置に保持されている印刷ジョブの転送要求を指示するジョブ移動受付手段（図１に示すジョブ移動受付１０９）と、前記ジョブ移動指示手段による移動指示時における出力ページに関わるジョブ属性と、処理中の印刷ジョブ情報を保持する保持手段（図１に示すジョブ属性格納部１１２、イメージ格納部１１１等）と、前記ジョブ移動受付手段による前記転送要求に基づいて、前記保持手段に保持される印刷ジョブの一部をなす移動印刷ジョブを移動先となる他の印刷装置に転送するジョブ転送手段（図１に示すジョブ転送部）とを有することを特徴とする印刷装置。
【０１１５】
これにより、印刷処理中に、処理すべき印刷ジョブの一部を移動先の印刷装置で継続して処理できる利便性に優れた印刷処理を行える。
【０１１６】
〔実施態様２〕
ホストコンピュータと通信可能な印刷装置であって、メモリを備える外部機器と通信するインタフェース（例えば図１に示すＩＣカードＲ／Ｗ１１４）と、
前記ホストコンピュータから受信する印刷ジョブの処理中に、該印刷ジョブの移動出力を受け付けて、前記印刷ジョブの移動元となる情報、所定の鍵情報を前記メモリに書き込み、前記印刷ジョブに対する印刷指示を取り消すジョブ移動指示手段（図１に示すジョブ移動指示部１０８）と、前記インタフェースを介して前記メモリから読み出される前記移動元となる情報に基づいて移動元の印刷装置に保持されている印刷ジョブの転送要求を指示するジョブ移動受付手段（図１に示すジョブ移動受付１０９）と、前記ジョブ移動指示手段による移動指示時における出力ページに関わるジョブ属性と、処理中の印刷ジョブ情報を保持する保持手段（図１に示すジョブ属性格納部１１２、イメージ格納部１１１等）と、前記ジョブ移動受付手段による前記転送要求に基づいて、前記保持手段に保持される印刷ジョブの一部を前記所定の鍵情報で暗号化処理した移動印刷ジョブを移動先となる他の印刷装置に転送するジョブ転送手段（図１に示すジョブ転送部）とを有することを特徴とする印刷装置。
【０１１７】
これにより、印刷処理中に、処理すべき印刷ジョブの一部を移動先の印刷装置でセキュリティを確保した上で継続的に処理できる利便性に優れた印刷処理を行える。
【０１１８】
〔実施態様３〕
前記ジョブ転送手段は、前記ジョブ移動受付手段による前記転送要求に基づいて、前記ジョブ属性に従って前記印刷ジョブ中から生成される未印刷ページとなる特定ページを移動先となる他の印刷装置に転送することを特徴とする実施態様１または２記載の印刷装置。
【０１１９】
これにより、移動先で移動元で既に印刷されたページを再出力することを制限でき、用紙無駄を防止できたり、ユーザによる印刷結果に対する丁合負担を軽減できたりする。
【０１２０】
〔実施態様４〕
前記ジョブ転送手段は、前記未印刷中のページの転送後、前記保持手段に保持されている印刷ジョブを削除することを特徴とする実施態様１または２記載の印刷装置。
【０１２１】
これにより、移動元の印刷装置に対するメモリ占有状態が長時間に及んでしまう事態を回避して、後続する印刷ジョブを速やかに受け付け可能とすることができる。
【０１２２】
〔実施態様５〕
移動元の印刷装置から受信する移動印刷ジョブを処理するジョブ処理手段を有することを特徴とする実施態様１記載の印刷装置。
【０１２３】
これにより、ホストコンピュータを介在することなく、移動元で処理中であった印刷ジョブを引き続き、ユーザが任意に選択可能な移動先の印刷装置で継続的に処理でき、ユーザの利便性が向上する。
【０１２４】
〔実施態様６〕
前記ジョブ処理手段は、前記メモリから読み出される前記所定の鍵情報に基づいて移動元の印刷装置から受信する暗号化されている移動印刷ジョブを復号化して移動印刷ジョブを処理することを特徴とする実施態様２記載の印刷装置。
【０１２５】
これにより、ホストコンピュータを介在することなく、移動元で処理中であった印刷ジョブを引き続き、ユーザが任意に選択可能な移動先の印刷装置でセキュリティを確報した状態で継続的に処理でき、ユーザの利便性が向上する。
【０１２６】
〔実施態様７〕
前記外部機器は、前記メモリを備えるＩＣカード、前記メモリ備えるＵＳＢメモリ等を含むことを特徴とする実施態様１または２記載の印刷装置。
【０１２７】
これにより、汎用性の高い外部機器を利用して、移動先の印刷装置で移動元の印刷装置を特定する情報を認識することができる。
【０１２８】
〔実施態様８〕
メモリを備える外部機器と通信するインタフェースを備え、ホストコンピュータと通信可能な印刷装置におけるジョブ処理方法であって、前記ホストコンピュータから受信する印刷ジョブの処理中に、該印刷ジョブの移動出力を受け付けて、前記印刷ジョブの移動元となる情報を前記メモリに書き込み、前記印刷ジョブに対する印刷指示を取り消すジョブ移動指示ステップ（図４に示すステップ（４０１）〜（４０８））と、前記インタフェースを介して前記メモリから読み出される前記移動元となる情報に基づいて移動元の印刷装置に保持されている印刷ジョブの転送要求を指示するジョブ移動受付手段（図５に示すステップ（５０１）〜（５０５））と、前記ジョブ移動指示手段による移動指示時における出力ページに関わるジョブ属性と、処理中の印刷ジョブ情報を保持手段に保持する保持ステップと、前記ジョブ移動受付ステップによる前記転送要求に基づいて、前記保持手段に保持される印刷ジョブの一部をなす移動印刷ジョブを移動先となる他の印刷装置に転送するジョブ転送ステップ（図６に示すステップ（６０１）〜（６０４））とを有することを特徴とするジョブ処理方法。
【０１２９】
これにより、実施態様１と同等の効果を奏する。
【０１３０】
〔実施態様９〕
メモリを備える外部機器と通信するインタフェースを備え、ホストコンピュータと通信可能な印刷装置におけるジョブ処理方法であって、前記ホストコンピュータから受信する印刷ジョブの処理中に、該印刷ジョブの移動出力を受け付けて、前記印刷ジョブの移動元となる情報、所定の鍵情報を前記メモリに書き込み、前記印刷ジョブに対する印刷指示を取り消すジョブ移動指示ステップと、前記インタフェースを介して前記メモリから読み出される前記移動元となる情報に基づいて移動元の印刷装置に保持されている印刷ジョブの転送要求を指示するジョブ移動受付ステップと、前記ジョブ移動指示ステップによる移動指示時における出力ページに関わるジョブ属性と、処理中の印刷ジョブ情報を保持手段に保持する保持ステップと、前記ジョブ移動受付ステップによる前記転送要求に基づいて、前記保持手段に保持される印刷ジョブの一部を前記所定の鍵情報で暗号化処理した移動印刷ジョブを移動先となる他の印刷装置に転送するジョブ転送ステップとを有することを特徴とするジョブ処理方法。
【０１３１】
これにより、実施態様２と同等の効果を奏する。
【０１３２】
〔実施態様１０〕
実施態様８または９に記載のジョブ処理方法をコンピュータに実行させるためのプログラムを格納したことを特徴とするコンピュータが読み取り可能な記憶媒体。
【０１３３】
これにより、実施態様１または２と同等の効果を奏する。
【０１３４】
〔実施態様１１〕
実施態様８または９に記載のジョブ処理方法をコンピュータに実行させることを特徴とするプログラム。
【０１３５】
これにより、実施態様１または２と同等の効果を奏する。
【図面の簡単な説明】
【０１３６】
【図１】本発明の第１実施形態を示す印刷装置を適用可能な画像処理装置の構成を説明するブロック図である。
【図２】図１に示したカードＲ／Ｗ（リーダ・ライタ）に着脱自在のＩＣカードの構成を示すブロック図である。
【図３】図１に示した印刷装置の操作パネル上に表示されるジョブ状況画面の一例を示す図である。
【図４】本発明に係る印刷装置における第１のデータ処理手順の一例を示すフローチャートである。
【図５】本発明に係る印刷装置における第２のデータ処理手順の一例を示すフローチャートである。
【図６】本発明に係る印刷装置における第３のデータ処理手順の一例を示すフローチャートである。
【図７】本発明に係る印刷装置を適用する印刷システムにおける印刷ジョブの処理状態を説明するシーケンス図である。
【図８】本発明に係る印刷装置で読み取り可能な各種データ処理プログラムを格納する記憶媒体のメモリマップを説明する図である。
【符号の説明】
【０１３７】
１００  印刷装置
１０６  操作パネル
１０７  ＩＣカード制御部
１０８  ジョブ移動指示部
１０９  ジョブ移動受付部
１１０  ジョブ転送部
１１２  ジョブ属性格納部
１１４  ＩＣカードＲ／Ｗ
【図１】
2006341524.tif 000003
【図２】
2006341524.tif 000004
【図３】
2006341524.tif 000005
【図４】
2006341524.tif 000006
【図５】
2006341524.tif 000007
【図６】
2006341524.tif 000008
【図７】
2006341524.tif 000009
【図８】
2006341524.tif 000010